(57)【要約】【課題】傾斜地において落石の可能性をできるだけ抑えつつも表土の崩壊等を防ぎ、しかも、草木の生育を促すことのできる傾斜地の保護方法及び構造を提供すること【解決手段】浮石、岩盤の剥落又は表層の緩みがある傾斜地の保護方法であって、傾斜地に対して、土を主成分とした固化材を吹き付けて、傾斜地の表面に固化土層を形成する固化土層形成工程と、固化土層から傾斜地に孔をあけ、その孔に棒状補強材を挿入すると共に棒状補強材の先端部を傾斜地の斜面よりも突出させ、孔の空隙にグラウトを注入する鉄筋挿入工程と、固化土層の上に植生基盤材を吹付けて、固化土層の上に植生基盤層を形成する植生基盤形成工程と、植生基盤層の上に土壌浸食防止マットを敷設し、土壌浸食防止マットを傾斜地に対してピンで固定する浸食防止マット固定工程と、土壌浸食防止マットの上にネットを敷設し、ネットを棒状補強材の先端部に固定するネット固定工程を行う。【選択図】      図４
2013234497.tif 000002
【特許請求の範囲】
【請求項１】
浮石、岩盤の剥落、又は表層の緩みがある傾斜地の保護方法であって、
傾斜地に対して、土を主成分とした固化材を吹き付けて、傾斜地の表面に固化土層を形成する固化土層形成工程と、
固化土層から傾斜地に孔をあけ、その孔に棒状補強材を挿入すると共に棒状補強材の先端部を傾斜地の斜面よりも突出させ、孔の空隙にグラウトを注入する鉄筋挿入工程と、
固化土層の上に植生基盤材を吹付けて、固化土層の上に植生基盤層を形成する植生基盤形成工程と、
植生基盤層の上に土壌浸食防止マットを敷設し、土壌浸食防止マットを傾斜地に対してピンで固定する浸食防止マット固定工程と、
土壌浸食防止マットの上にネットを敷設し、ネットを棒状補強材の先端部に固定するネット固定工程を順次行うことを特徴とする傾斜地の保護方法。
【発明の詳細な説明】
【技術分野】
【０００１】
本発明は、表土の侵食や崩壊のおそれがある傾斜地を保護する方法に関する。
【背景技術】
【０００２】
風化堆積岩、崩積土、断層・摂理・亀裂の多い傾斜地では、崩壊や浅いすべりのおそれがあり、草木が生えていないと、表土が侵食され、さらにこの傾向が高くなる。従って、このような崩壊等を防ぐ手法の一つとしては、鉄筋挿入工が存在する。鉄筋挿入工とは、傾斜地の斜面の適宜箇所に鉄筋等の棒状補強材を打設することを基本とした工法である。
【０００３】
しかしながら、斜面に浮石、岩盤の剥落、又は表層の緩みがある場合に鉄筋挿入工をすると、その際の振動で落石等が発生するおそれがある。特に、傾斜地の中でも急傾斜地（水平を基準にして３０度以上傾いた斜面の土地）では、落石等が発生する可能性が大きく、作業を慎重に行わざるを得ない。
【０００４】
また、落石等を防ぐ手法の一つとしては、吹付工が存在する。吹付工とは、コンクリートやモルタルを傾斜地の斜面に吹き付ける工法である。
しかしながら、コンクリートやモルタルで斜面を覆うと、草木が生え難い環境となる。
【発明の概要】
【発明が解決しようとする課題】
【０００５】
本発明は、上記実情を考慮したもので、傾斜地において落石等が発生する可能性をできるだけ抑えつつも表土の崩壊等を防ぎ、しかも、草木の生育を促すことのできる傾斜地の保護方法及び構造を提供することを目的とする。
【課題を解決するための手段】
【０００６】
本発明は、浮石、岩盤の剥落、又は表層の緩みがある傾斜地の保護方法であって、傾斜地に対して、土を主成分とした固化材を吹き付けて、傾斜地の表面に固化土層を形成する固化土層形成工程と、固化土層から傾斜地に孔をあけ、その孔に棒状補強材を挿入すると共に棒状補強材の先端部を傾斜地の斜面よりも突出させ、孔の空隙にグラウトを注入する鉄筋挿入工程と、固化土層の上に植生基盤材を吹付けて、固化土層の上に植生基盤層を形成する植生基盤形成工程と、植生基盤層の上に土壌浸食防止マットを敷設し、土壌浸食防止マットを傾斜地に対してピンで固定する浸食防止マット固定工程と、土壌浸食防止マットの上にネットを敷設し、ネットを棒状補強材の先端部に固定するネット固定工程を順次行うことを特徴とする。
【発明の効果】
【０００７】
本発明によれば、固化土層形成工程を用いることによって、傾斜地の浮石をその上に形成された固化土層によって固定されるので、落石等が発生する可能性が大幅に減る。従って、その後の鉄筋挿入工程を安全性の高い状態で行える。また、ネット固定工程によって、ネットを棒状補強部材に固定してあるので、傾斜地の表土の崩壊を防いでいる。その上、土壌浸食防止マット上に生える植物の根は、固化土層を経て傾斜地にまで達することが可能であることから、傾斜地の斜面を緑化することもできる。
【図面の簡単な説明】
【０００８】
【図１】（イ）（ロ）図は、本発明の傾斜地の保護方法における固化土層形成工程を示す説明図である。
【図２】（イ）（ロ）（ハ）図は、本発明の傾斜地の保護方法における鉄筋挿入工程を示す説明図である。
【図３】（イ）（ロ）（ハ）図は、本発明の傾斜地の保護方法における植生基盤形成工程、浸食防止マット固定工程を示す説明図である。
【図４】（イ）（ロ）図は、本発明の傾斜地の保護方法におけるネット固定工程を示す説明図である。
【発明を実施するための形態】
【０００９】
本発明の傾斜地の保護方法は、図１（イ）に示すように、落石等が発生する可能性が高い傾斜地１、特に急傾斜地に対して適用するもので、固化土層形成工程、鉄筋挿入工程、植生基盤形成工程、浸食防止マット固定工程、ネット固定工程を順次行うものである。以下、各工程について、詳述する。
【００１０】
１）固化土層形成工程では、不安定な転石や浮石１１がある傾斜地１の斜面に対して、図１（ロ）に示すように、土を主成分とした固化材２１を吹き付けて、斜面に固化土層２を形成し、転石や浮石１１を固定する。具体的には、ＥＣＯバインド工法（登録商標）を適用する。ＥＣＯバインドといわれる材料は、重金属や六価クロムの溶出のおそれがなく、土の組成に近似した環境負荷の少ない無機質固化材である。この材料に砂、水を混合した混合材料を、吹付け機を用いて傾斜地１の斜面に所望の厚みとなるように吹付け、転石や浮石１１を覆うようにする。吹付け後の固化する過程において固化土層２には空隙が形成される。従って、混合材料が固化した固化土層２には、通気性、通水性が確保され、植物の根が侵入することも可能となり、植生を促進する。また、固化後には、転石や浮石１１が固化土層２によって固定され、次の鉄筋挿入工程を行う上での安全性が確保される。
【００１１】
２）鉄筋挿入工程は、以下の通りである。固化土層２の上にボーリングマシンを運びいれ、図２（イ）に示すように固化土層２の適宜箇所から傾斜地１に孔３１をあける。各孔３１の深さは、崩壊が予想される深さＤよりも深くする。つまり、傾斜地１の斜面を形成する表土側の崩壊層１２よりも奥の不動層１３内に十分に達する深さとするもので、例えば、崩壊が予想される深さ（崩壊層１２と不動層１３との境界）が表面から１ｍの深さの場合には、１ｍよりも十分に深くする。また、孔３１の直径は、例えば、５０〜９０mm程度とする。そして、図２（ロ）に示すように、その孔３１に鉄筋等の棒状補強材（アンカーボルト）３を孔３１の奥まで挿入すると共に棒状補強材３の先端部を固化土層２の表面よりも突出させる。その後、図２（ハ）に示すように、この状態のまま棒状補強材３と孔３１との間に形成される空隙３２にグラウト３３を注入し、固化させる。これによって、棒状補強材３は、その先端部が突出した状態で傾斜地１に対して定着する。このようにして、崩壊を抑止する。
【００１２】
３）植生基盤形成工程では、図３（イ）に示すように、固化土層２の上に植生基盤材４１を吹付けて、固化土層２の上に植生基盤層４を形成する。具体的には、タフグリーン工法（登録商標）の前半部分を適用する。より詳しく言えば、肥料（バーク系有機質基材であって、窒素、燐酸、カリウム等）、泥炭が含まれる腐植土、ナイロンを主とする短繊維、水を混合した植生基盤材４１を、吹付け機を用いて固化土層２の表面に所望の厚みとなるように吹付ける。これによって、森林土壌に近い、保水性、保肥性の高い植生基盤層４を形成し、植生の復元を促進する。
【００１３】
４）浸食防止マット固定工程では、図３（ロ）に示すように、植生基盤層４の上に土壌浸食防止マット５を敷設し、図３（ハ）に示すように、土壌浸食防止マット５を傾斜地１に対してピン５１で固定する。具体的には、タフグリーン工法（登録商標）の後半部分を適用する。詳しくは、以下の通りである。土壌浸食防止マット５には、わた状の不織布からなる面状シートを用いる。この面状シート５を植生基盤層４の上に敷設し、ピン５１で面状シート５を、その下の植生基盤層４、固化土層２ごと、傾斜地１の崩壊層１２に固定する。これによって、面状シート５が植生基盤層４に密着し、植生基盤層４の浸食が防止される。
【００１４】
５）ネット固定工程では、図４（イ）に示すように土壌浸食防止マット５の上にネット６を敷設し、図４（ロ）に示すようにネット６から突出する棒状補強材３の先端部にネット６を固定する。具体的には、NETISに登録されているクモの巣ネット工法を用いる。ネット６の元になる線材は、素線直径３mm、引張強度１７７０N/mm2以上の高強度な硬鋼線で製造され、この硬鋼線の表面を二重のコーティング層で被覆したものである。この線材を網状に組んでネット６を形成する。そして、このネット６を土壌浸食防止マット５の上に敷設し、ネット６から突出する棒状補強材３の先端部に、固定プレート６１の貫通孔（図示せず）を通し、棒状補強材３にキャップナット６２を締め付ける。すると、キャップナット６２によって、固定プレート６１がネット６の表面側に押し付けられ、ネット６が土壌浸食防止マット５に押し付けられた状態で固定される。このようにして、浅いすべりや崩壊に対して抑止する。
【符号の説明】
【００１５】
１傾斜地
１１浮石
１２崩壊層
１３不動層
２固化土層
２１固化材
３棒状補強材
３１孔
３２空隙
３３グラウト
４植生基盤層
４１植生基盤材
５土壌浸食防止マット（面状シート）
５１ピン
６ネット
６１固定プレート
６２キャップナット
Ｄ崩壊が予想される深さ
【図１】
2013234497.tif 000003
【図２】
2013234497.tif 000004
【図３】
2013234497.tif 000005
【図４】
2013234497.tif 000006